(57)【要約】【課題】眼鏡枠形状を容易に確認することができ、これにより検査に要する時間を短縮することが可能な眼鏡レンズを提供する。【解決手段】加工予定の眼鏡枠形状に対応する枠パターン４が眼鏡レンズ１００の第１屈折面１００ａに形成される。従って、外観検査を行う際、検査者は、眼鏡レンズ１００のどの部分が眼鏡枠形状に対応しているかを容易かつ正確に把握可能となる。【選択図】図１
2014219618.tif 000002
【特許請求の範囲】
【請求項１】
表面に、加工予定の眼鏡枠形状に対応する枠パターンが形成された眼鏡レンズ。
【請求項２】
前記枠パターンは、前記眼鏡枠形状と同一である請求項１記載の眼鏡レンズ。
【請求項３】
前記枠パターンは、前記眼鏡枠形状を所定間隔で囲むように形成される請求項１記載の眼鏡レンズ。
【請求項４】
前記枠パターンは、前記表面から除去可能に形成される請求項１〜請求項３のいずれか１項に記載の眼鏡レンズ。
【請求項５】
前記表面に、除去可能な保護膜を有し、
前記枠パターンは、前記保護膜に形成される請求項４記載の眼鏡レンズ。
【請求項６】
前記保護膜は、前記眼鏡レンズを前記眼鏡枠形状に加工するための玉摺り加工の際のすべり防止膜である請求項５記載の眼鏡レンズ。
【請求項７】
前記眼鏡レンズは、累進焦点レンズであり、
前記表面に、前記累進焦点レンズに関するレイアウトマークが形成された請求項１〜請求項６のいずれか１項に記載の眼鏡レンズ。
【請求項８】
前記レイアウトマークは、遠用度数測定位置、近用度数測定位置、水平基準線、フィッティングポイント、左右識別記号、レンズの光学中心、製造者記号、及び加入度記号のうち、少なくとも１つを含む請求項７記載の眼鏡レンズ。
【請求項９】
前記レイアウトマークは、前記枠パターンと重ならないように形成される請求項７または請求項８記載の眼鏡レンズ。
【請求項１０】
前記枠パターンは、前記レイアウトマークに対して、線の種類、線の太さ、及び線の色のうち少なくとも１つを変えて形成される請求項７〜請求項９のいずれか１項に記載の眼鏡レンズ。
【請求項１１】
前記枠パターンの少なくとも一部は、前記レイアウトマークが用いられる請求項７〜請求項１０のいずれか１項に記載の眼鏡レンズ。
【請求項１２】
前記枠パターンは、インクジェット法により印刷されて形成される請求項１〜請求項１１のいずれか１項に記載の眼鏡レンズ。
【請求項１３】
眼鏡枠形状に加工するための眼鏡レンズの製造方法であって、
前記眼鏡レンズの表面に、前記眼鏡枠形状に対応する枠パターンを形成させる枠パターン形成工程を含む眼鏡レンズの製造方法。
【請求項１４】
前記眼鏡レンズの表面に保護膜を形成される保護膜形成工程を含み、
前記枠パターン形成工程は、前記保護膜に前記枠パターンを形成させる請求項１３記載の眼鏡レンズの製造方法。
【請求項１５】
前記眼鏡レンズとして累進焦点レンズが用いられ、前記眼鏡レンズの表面に、前記累進焦点レンズに関するレイアウトマークを形成させるレイアウトマーク形成工程を含む請求項１３または請求項１４記載の眼鏡レンズの製造方法。
【請求項１６】
前記枠パターン形成工程は、前記レイアウトマーク形成工程と同時に行われる請求項１５記載の眼鏡レンズの製造方法。
【請求項１７】
前記枠パターン形成工程及び前記レイアウトマーク形成工程は、インクジェット法による印刷により行う請求項１６記載の眼鏡レンズの製造方法。
【請求項１８】
請求項１〜請求項１２のいずれか１項に記載の眼鏡レンズが前記眼鏡枠形状に加工されて枠入れされた眼鏡。
【請求項１９】
請求項１３〜請求項１７のいずれか１項に記載の眼鏡レンズの製造方法により作成された眼鏡レンズを前記眼鏡枠形状に加工するレンズ加工工程と、
前記眼鏡枠形状に加工された前記眼鏡レンズを眼鏡枠に嵌め込む枠入れ工程と、を含む
眼鏡の製造方法。
【発明の詳細な説明】
【技術分野】
【０００１】
本発明は、眼鏡レンズ、眼鏡レンズの製造方法、眼鏡、眼鏡の製造方法に関する。
【背景技術】
【０００２】
眼鏡枠に嵌め込まれるレンズは、一般的には平面視で円形に形成された丸玉形状の眼鏡レンズを眼鏡枠形状に玉摺り加工することで形成される（例えば、特許文献１参照）。この眼鏡レンズの外観及び品質に関しては、日本工業規格により、「測定基準点を中心とする直径３０ｍｍの領域では、レンズ内部または表面に、視野を害する可能性のある欠陥があってはならない。この領域の外側では、微細な孤立した欠陥及び／又は表面の欠陥は許容される。」と規定されている。
【０００３】
眼鏡レンズ内部または表面の視野を害する可能性のある欠陥とは、キズや点状の凹凸を示すブツ、繊維状の異物の混入を示すケバ、気泡等のアワ、屈折率の不均一による光学的歪を示す脈理、汚れ、曇りなどである。従ってレンズメーカは、日本工業規格の規定に準じ、より具体的な検査基準を設定している。例えば丸玉形状のレンズにおいては、測定基準点を中心とする直径３０ｍｍの中心領域１（図１の符号１）、中心領域１の外側に円環状に形成される中間領域２（図１の符号２）、および中間領域２の外側で、レンズの外周に沿って形成される外周領域３（図１の符号３）に分け、それぞれの領域において許容される欠陥の大きさ、数などを個別に定めている。そして、その検査基準に基づき、成形、研磨、染色、表面処理等工程ごとに外観検査を実施している。
【０００４】
外観検査は、次のような手順により、検査者の目視によって実施される。なお、この外観検査は、明視界・暗視界のそれぞれにおいて拡大用光学器具が用いられることなく実施される。外観検査には、約２００ｌｘで環境照明を行っている室内で、検査灯として少なくとも４００ｌｍの光源が用いられる。光源の例としては、例えば１５Ｗの蛍光管または覆いの無い４０Ｗの白熱透明電球などが挙げられる。光源の背景には、つや消しの黒色背景（１５０ｍｍ×３６０ｍｍ）が用いられる。光源から眼鏡レンズまでの距離は、約３００ｍｍ程度に設定される。外観検査において、検査者は、目視によって外観的欠陥の有無を検査する。明視界における外観検査では、検査者は、眼鏡レンズを光源の光で照らすように調整し、遮光板で光源から目を保護しつつ行う。
【先行技術文献】
【特許文献】
【０００５】
【特許文献１】特開平１−１０２５１７号公報
【発明の概要】
【発明が解決しようとする課題】
【０００６】
眼鏡レンズは最終的には装用者の眼鏡枠形状に加工される。この眼鏡枠形状の大きさや、形はさまざまであり、また丸玉形状の眼鏡レンズのどの部分に位置するかは装用者の処方によって変わってくる。本来、外観検査で重要視されるべき部分は眼鏡枠形状として加工される部分であり、その他の部分は重要でない。従って、丸玉形状の眼鏡レンズにおいて、何らかの欠陥が認められた場合、その欠陥が規格内であるか、規格を超えるものであるかの判断も重要であるが、それ以上にその欠陥が眼鏡枠形状の内部に位置するものか、外部なのかは極めて重要である。特に、工場において、研磨、染色、表面処理の全行程を終了した後の外観検査で発見された欠陥の位置関係の判定が重要である。
【０００７】
しかしながら、眼鏡レンズのうち、どの部分が眼鏡枠形状に対応しているかは外観検査の検査者には判別できない。実際に欠陥の位置判定を行うには、眼鏡枠形状が実寸大で印刷された作業票に照らし合わせながら検査を行うという煩雑な作業が必要であるという問題があった。さらに、欠陥はあるが眼鏡枠形状外のものであるとして出荷された眼鏡レンズでも、客先ではその欠陥の位置判定は容易にはできないため、クレーム扱いとなるという問題もあった。
【０００８】
以上のような事情に鑑み、本発明は、眼鏡レンズの外観及び品質の検査において、検査者が加工予定の眼鏡枠形状を容易に確認することができ、これにより検査に要する時間を短縮することが可能な眼鏡レンズ、眼鏡レンズの製造方法、眼鏡、眼鏡の製造方法を提供することを目的とする。
【課題を解決するための手段】
【０００９】
本発明の第１態様によれば、表面に、加工予定の眼鏡枠形状に対応する枠パターンが形成された眼鏡レンズが提供される。
【００１０】
本発明の第２態様によれば、眼鏡枠形状に加工するための眼鏡レンズの製造方法であって、眼鏡レンズの表面に、眼鏡枠形状に対応する枠パターンを形成させる枠パターン形成工程を含む眼鏡レンズの製造方法が提供される。
【００１１】
本発明の第３態様によれば、上記した第１態様に眼鏡レンズが眼鏡枠形状に加工されて枠入れされた眼鏡が提供される。
【００１２】
本発明の第４態様によれば、上記した第２態様の眼鏡レンズの製造方法により作成された眼鏡レンズを眼鏡枠形状に加工する加工工程と、眼鏡枠形状に加工された眼鏡レンズを眼鏡枠に嵌め込む枠入れ工程と、を含む眼鏡の製造方法が提供される。
【発明の効果】
【００１３】
本発明の態様によれば、眼鏡レンズの外観及び品質の検査において、検査者が加工予定の眼鏡枠形状を容易に確認することができ、これにより検査に要する時間を短縮することが眼鏡枠形状に対応した検査を正確に行うことができる。さらに、検査する領域が容易に認識されるため、その領域での検査に集中することにより、検査の精度を向上させることができる。
【図面の簡単な説明】
【００１４】
【図１】第１実施形態に係る眼鏡レンズの構成を示す平面図である。
【図２】第２実施形態に係る眼鏡レンズの構成を示し、（ａ）は平面図、（ｂ）はＡ−Ａ線に沿った断面図である。
【図３】第３実施形態に係る眼鏡レンズの構成を示し、（ａ）は平面図、（ｂ）はＢ−Ｂ線に沿った断面図である。
【図４】眼鏡レンズの製造方法の実施形態を示し、（ａ）は成型工程、（ｂ）は保護膜形成工程、（ｃ）は枠パターン形成工程を示す図である。
【図５】眼鏡レンズの製造方法のうち、印刷による枠パターン形成工程を示す図である。
【図６】（ａ）（ｂ）は、眼鏡レンズの製造方法のうち、印刷による枠パターン形成工程を示す図である。
【図７】眼鏡の製造方法のうち加工工程を示す図である。
【図８】眼鏡の製造方法のうち枠入れ工程を示す図である。
【図９】枠パターンの変形例を示す平面図である。
【図１０】枠パターンの他の変形例を示す平面図である。
【図１１】枠パターンの他の変形例を示す平面図である。
【図１２】枠パターンの他の変形例を示す平面図である。
【発明を実施するための形態】
【００１５】
以下、実施形態について図面を参照しながら説明するが、この実施形態に限定されるものではない。また、図面においては実施形態を説明するため、一部分を大きくまたは強調して記載するなど適宜縮尺を変更して表している。また、本明細書において、眼鏡レンズは、眼鏡枠形状に加工する前の眼鏡レンズ、及び眼鏡枠形状に加工された眼鏡レンズの双方の意味で用いられる。
【００１６】
＜第１実施形態＞
第１実施形態について説明する。図１は、第１実施形態に係る眼鏡レンズ１００の構成を示す平面図である。図１に示すように、眼鏡レンズ１００は、眼鏡枠（フレーム）形状に加工される前の状態（玉摺り加工前の状態）であり、平面視で円形の丸玉形状に形成されている。眼鏡レンズ１００は、例えばプラスチック素材の眼鏡レンズが用いられるが、ガラス素材の眼鏡レンズが用いられてもよい。
【００１７】
図１は、物体側から眼鏡レンズ１００を見たときの図を示している。図１における眼鏡レンズ１００の上下方向は、装用時の上下方向と一致している。従って、眼鏡レンズ１００の図中上側は、眼鏡の装用時において上方に配置され、図中下側は装用時において下方に配置される。また、眼鏡レンズ１００の左右方向は、装用時の左右方向とは逆向きになっている。
【００１８】
眼鏡レンズ１００には、右目に対応するもの（以下、右用と呼ぶ）と左目に対応するもの（以下、左用と呼ぶ）とがある。以下では、眼鏡レンズ１００として右用の眼鏡レンズを例に挙げて説明する。従って、図１の右側は鼻側であり、図１の左側は耳側である。なお、右用の眼鏡レンズと左用の眼鏡レンズとでは、左右対称の構成となる点を除けば同一構成である。従って、左用の眼鏡レンズの場合、左右を反対にすることで、右用レンズと同様に説明される。
【００１９】
眼鏡レンズ１００は、物体側の第１屈折面（Ｒ１面または凸面）１００ａと、眼球側の第２屈折面（Ｒ２面または凹面）１００ｂとを有している。第１屈折面１００ａ及び第２屈折面１００ｂは、眼鏡レンズ１００のレンズ特性の一部を決定する面である。この眼鏡レンズ１００の表面には、機能膜が形成されてもよい。機能膜としては、例えば、下地膜（プライマーコート膜）、ハードコート膜、反射防止膜、撥水膜、撥油膜、または親水膜（防曇膜）、などがある。なお、図１には示していないが、第１実施形態は、眼鏡レンズ１００の物体側の第１屈折面１００ａ上に枠パターン４が形成された後、その表面に後述の第３実施形態と同様の保護膜３０６が形成されてもよい。
【００２０】
下地膜は、例えば、積層する他の機能膜との密着性を確保して耐衝撃性を付与するために用いられる。ハードコート膜は、眼鏡レンズ１００の表面硬度を向上させて、耐擦傷性を確保するために用いられる。反射防止膜は、例えば、第１屈折面１００ａから入射される光の反射を防止するように複数の積層構造体（多層膜）として形成される。撥油膜または撥水膜は、例えばフッ素系材料を用いて形成される。
【００２１】
眼鏡レンズ１００は、光学中心点Ｏを有している。光学中心点Ｏは、眼鏡レンズ１００の幾何中心点に設けられてもよいし、幾何中心点とは異なる位置に設けられてもよい。眼鏡レンズ１００には、図１に示すように、中心領域１と、中間領域２と、外周領域３とが設定されている。これら中心領域１等は、眼鏡レンズ１００の外観検査を行う際の基準となる仮想領域である。なお、図１では中心領域１等を破線で表しているが、実際には眼鏡レンズ１００の表面に破線は形成されていない。
【００２２】
中心領域１は、光学中心点Ｏを中心とする直径３０ｍｍの円形の領域である。この中心領域１は、日本工業規格の外観検査に対応させた領域である。中間領域２は、中心領域１の外側に円環状に形成される領域である。この中間領域２は、中心領域１ほど外観や品質を注意すべきではないが、使用者にとって使用される可能性が高い領域であり、中心領域1に次いで厳しい検査基準が設定されている。外周領域３は、この中間領域２の外側であって眼鏡レンズ１００の外縁に沿って形成される領域である。この外周領域３は、中心領域１や中間領域２ほど品質が求められておらず、最も緩い検査基準となっている。図１に示すように、中間領域２は、中心領域１と外周領域３とで挟まれている。なお、中間領域２及び外周領域３の径については、任意に設定することが可能である。また、中間領域２と外周領域３との径の比についても任意に設定することが可能である。
【００２３】
図１に示すように、眼鏡レンズ１００のうち第１屈折面１００ａ（すなわち眼鏡レンズ１００の表面）には、枠パターン４が形成されている。第１屈折面１００ａに各種機能膜が形成されている場合は、この機能膜上に枠パターン４が形成される。なお、枠パターン４は、第２屈折面１００ｂに形成されてもよい。ただし、第１屈折面１００ａは、凸形状のため、枠パターン４の形成に印刷手法を用いやすいといった利点がある。また、第１屈折面１００ａ及び第２屈折面１００ｂの双方に枠パターン４が形成されてもよい。
【００２４】
枠パターン４は、加工予定の眼鏡枠形状に対応して設けられている。眼鏡枠形状は、例えば、装用者が選択した眼鏡枠の形状である。枠パターン４は、例えば、加工予定の眼鏡枠形状に対応した平面形状及び寸法を有している。この枠パターン４は、眼鏡枠の製造元からデータとして入手される他に、対象となる眼鏡枠を測定装置等で計測することにより入手される。なお、眼鏡が縁無し形状や縁の一部が無い形状では、計測すべき眼鏡枠形状の全部または一部がない。この場合は、利用可能なレンズ形状が枠パターン４として用いられる。この場合、利用可能なレンズ形状が複数存在する場合は、その中から選択されて枠パターン４として用いられる。
【００２５】
第１実施形態において、枠パターン４は、加工予定の眼鏡枠形状の輪郭に沿って形成される。枠パターン４は、一点鎖線により形成されている。ただし、枠パターン４として一点鎖線が用いられることに限定されず、例えば、実線、点線、波線、二重線、二点鎖線等が用いられてもよい。また、枠パターン４を示す線の太さや色は任意に設定可能である。なお、第１実施形態に限らず、枠パターン４を線によって表現する形態においては、他の実施形態においても同様である。
【００２６】
枠パターン４は、ここでは加工予定の眼鏡枠形状と同一形状、同一寸法となっているが、それに限定されるものではない。この枠パターン４は、眼鏡レンズ１００のうち実際に加工される線であり、枠パターン４の内側の領域は、後に眼鏡枠に装着される眼鏡レンズと同一の形状となっている。すなわち、この枠パターン４に沿って玉摺り加工されることにより、予め選択されている眼鏡枠に装着可能な眼鏡レンズが形成される。
【００２７】
枠パターン４は、中心領域１の一部又は全部を含むように形成されている。また、枠パターン４は、図１に示すように、眼鏡枠形状に応じて中間領域２にわたって形成されている他、外周領域３にわたって形成される場合もある。眼鏡レンズ１００の表面領域のうち、枠パターン４が形成される位置は、眼鏡レンズ１００のレンズ特性データ（例えば、材質、屈折率、レンズの径、曲率など）や、装用者の処方データ（例えば、球面度数、乱視度数、軸度、プリズムなど）に基づいて設定される。従って、同じ枠パターン４であっても、眼鏡レンズ１００のレンズ特性や、装用者の処方情報が異なると、図１とは異なる位置に枠パターン４が形成される。なお、第１実施形態では、眼鏡レンズ１００の表面に枠パターン４が形成されるだけであり、他のパターン等は形成されていない。
【００２８】
枠パターン４は、例えばインクジェット法などの印刷法によって第１屈折面１００ａに形成されている。枠パターン４は、例えば、紫外線硬化型インクやホットメルトインクなどが用いられ、枠パターン４を目視可能とするように、例えば黒色や赤色、青色、緑色、黄色などの色素成分を含んでいる。従って、検査者等が眼鏡レンズ１００を見た場合、透明またはほぼ透明の眼鏡レンズ１００の表面に枠パターン４が描かれた状態が一目で認識される。なお、第１屈折面１００ａに、フッ素系材料からなる撥水膜または撥油膜が形成されている場合は、ホットメルトインクあるいは紫外線硬化型インクが用いられることにより、インクの定着性を高めることができる。
【００２９】
図１に示す中心点Ｐは、枠パターン４の中心となる位置であり、眼鏡枠の原点位置に相当する。すなわち、眼鏡枠の中心点Ｐは、眼鏡枠のうち左右方向の中心位置であって、かつ上下方向の中心位置である。ただし、図１に示すように、中心点Ｐは、眼鏡レンズ１００の光学中心点Ｏとは異なる位置（例えば、光学中心点Ｏから図中左上にずれた位置）になる場合がある。
【００３０】
図１に示す枠パターン４は、眼鏡の右用に対応した眼鏡枠形状となっている。眼鏡には左右一対の眼鏡レンズが装着されるので、左用の眼鏡レンズについても枠パターン４が形成されている。図示しないが、左用の枠パターンは、図１に示す右用の枠パターン４と左右を逆にした形状となっている。ただし、左右で同一形状の眼鏡枠を持つ眼鏡については、左用の眼鏡レンズ及び右用の眼鏡レンズにおいて、同一形状の枠パターンが形成される。
【００３１】
眼鏡レンズ１００は、アンカットレンズ（例えば丸玉形状など眼鏡枠形状に加工される前のレンズ）としての製造工程終了後に外観及び品質に関して検査される。この検査に際して、枠パターン４が参酌される。眼鏡レンズ１００の外観および品質に関しては、「測定基準点を中心とする直径３０ｍｍの領域では、レンズ内部または表面に、視野を害する可能性のある欠陥があってはならない。この領域の外側では、微細な孤立した欠陥及び／又は表面の欠陥は許容される。」といった日本工業規格による規定が存在することは先に説明した。ここでいう「視野を害する可能性のある欠陥」としては、例えばキズや点状の凹凸を示すブツ、繊維状の異物の混入を示すケバ、気泡等のアワ、屈折率の不均一による光学的歪を示す脈理、汚れ、曇りなどである。
【００３２】
第１実施形態で示す眼鏡レンズ１００を外観検査する場合、眼鏡レンズ１００の光学中心点Ｏを「測定基準点」として外観検査が行われる。従って、眼鏡レンズ１００の中心領域１が、「測定基準点を中心とする直径３０ｍｍの領域」に相当し、少なくともこの中心領域１内に対しては上記した要領で外観検査が行われる。なお、中心領域１の外観検査は、枠パターン４内の一部の領域の検査に相当する。
【００３３】
眼鏡レンズは最終的には装用者の眼鏡枠形状に加工されるため、「測定基準点を中心とする直径３０ｍｍの領域」だけではなく、この領域の外側であっても、実際に眼鏡枠形状に加工される領域に対しては中間領域２に準ずる基準で外観検査が行われることが望ましい。この場合、本実施形態のように枠パターン４が形成されているので、検査者は眼鏡レンズのどの部分が用いられるかを容易に認識することができる。これにより、後に玉摺り加工によって削除される部分については厳格な検査は不要となり、検査時間の短縮化が図れることになる。
【００３４】
また、検査者にとって、注目すべき範囲が眼鏡レンズ１００の全体（もしくは中間領域２内）から、それより小さい枠パターン４内に移行したので、検査に集中することが可能となり、検査の精度を向上させることができる。また、装着する眼鏡が変われば眼鏡レンズ１００に形成される枠パターン４も変更されるため、個々の眼鏡枠に適応した検査を正確に行うことが可能となる。
【００３５】
＜第２実施形態＞
第２実施形態について説明する。図２（ａ）は、第２実施形態に係る眼鏡レンズ２００の構成を示す平面図である。図２（ｂ）は、（ａ）におけるＡ−Ａ線に沿った断面図である。なお、図２（ａ）では、図１のような中心領域１や中間領域２、外周領域３について表記していないが、眼鏡レンズ２００には、図１と同様に中心領域１等が設定されている。
【００３６】
図２（ａ）及び（ｂ）に示すように、眼鏡レンズ２００は、第一実施形態と同様、玉摺り加工が施される前の状態であり、平面視で円形に形成された丸玉形状の眼鏡レンズである。眼鏡レンズ２００は、レンズ基体２０１と、機能膜２０２ａ、２０２ｂと、を有している。
【００３７】
レンズ基体２０１は、眼鏡レンズ１００と同様にプラスチック素材やガラス素材などの材料を用いて形成されている。機能膜２０２ａ、２０２ｂは、レンズ基体２０１の凸面及び凹面（眼鏡レンズ２００の第１屈折面２００ａ及び第２屈折面２００ｂ）にそれぞれ形成される。これら機能膜２０２ａ、２０２ｂは、第１実施形態と同様に、例えば、下地膜（プライマーコート膜）、ハードコート膜、反射防止膜、撥水膜、撥油膜、または親水膜（防曇膜）などがある。機能膜２０２ａと機能膜２０２ｂとは、同一の構成を採用してもよく、また、異なる構成を採用してもよい。例えば、反射防止膜は、眼鏡レンズ２００の第１屈折面２００ａ側のみに設けられてもよい。なお、図２には示していないが、第２実施形態は、眼鏡レンズ２００の物体側の第１屈折面２００ａ上に枠パターン２９が形成された後、その表面に後述の第３実施形態と同様の保護膜３０６が形成されてもよい。
【００３８】
これら機能膜のうち、反射防止膜は、眼鏡レンズ２００の表面での光反射を抑制する。反射防止膜が設けられた眼鏡レンズ２００は、ゴースト（虚像）の発生やチラツキが抑制される。反射防止膜としては、酸化シリコン（ＳｉＯ２）などの低屈折率物質と、酸化ジルコニウム（ＺｒＯ２）や酸化チタン（ＴｉＯ２）などの高屈折率物質とを交互に積層した多層膜（マルチコート膜）が用いられている。この反射防止膜の最表面側には、例えば酸化シリコンが用いられている。撥油膜は、例えばフッ素系の撥油膜が用いられている。フッ素系の撥油膜は、例えば分子量４０００〜５０００の、フッ素で置換されたアルキル基を含む有機ケイ素化合物が、上記した反射防止膜の酸化シリコンに結合することにより形成されている。
【００３９】
眼鏡レンズ２００は、物体側のレンズ面である第１屈折面（Ｒ１面、凸面）２００ａと、眼球側のレンズ面である第２屈折面（Ｒ２面、凹面）２００ｂとを有している。第１屈折面２００ａ及び第２屈折面２００ｂは、眼鏡レンズ２００のレンズ特性を決定する屈折面である。第２実施形態に係る眼鏡レンズ２００は、累進焦点レンズを構成するものである。累進焦点レンズは、遠用度数の入った遠用部と、近用度数の入った近用部と、遠用部と近用部との間で加入度に応じて屈折力が累進的に変化する中間部とを有している。なお、眼鏡レンズ２００として、加入度に応じて屈折力が累進的に変化する累進焦点レンズに限定されず、遠用度数の入った遠用部と、近用度数の入った近用部とを有する二焦点レンズが用いられてもよい。
【００４０】
第１屈折面２００ａ及び第２屈折面２００ｂは、眼鏡レンズ２００のレンズ特性データや、装用者の処方データ（例えば、球面度数、乱視度数、軸度、加入度、プリズムなど）に基づいて設定される。
【００４１】
眼鏡レンズ２００の第１屈折面２００ａには、図２（ａ）に示すように、累進焦点レンズに関する情報としてレイアウトマーク２０が形成されている。レイアウトマーク２０としては、例えば、遠用度数測定位置２１、近用度数測定位置２２、水平基準線２３、フィッティングポイント２４、左右識別記号２５、レンズの光学中心点２６、製造者ブランドロゴ（製造者記号）２７、及び累進帯長２８が形成されている。
【００４２】
遠用度数測定位置２１は、装用者の遠用度数が測定される位置であり、装用時に遠用部として用いられる領域を示している。近用度数測定位置２２は、装用者の近用度数が測定される位置であり、装用時に近用部として用いられる領域を示している。水平基準線２３は、眼鏡レンズ２００の光学中心点２６を通り、遠用度数測定位置２１と近用度数測定位置２２との間に形成される。フィッティングポイント２４は、装用時に装用者の目の位置を示すものであり、アイポイントとも呼ばれる。左右識別記号２５は、この眼鏡レンズ２００が、眼鏡の左用のレンズか、右用のレンズかを示すものであり、図２（ａ）では右用のレンズであることを示す「Ｒ」が表記されている。製造者ブランドロゴ２７は、この眼鏡レンズ２００の製造者または販売者を示すものであり、その表記方法としては社名等の独自の記号が用いられる。累進帯長２８は、累進帯の長さをミリメートル単位で示した数字として表記される。ただし、レイアウトマーク２０としては上記したものに限定すれず、他のマークが形成されてもよい。
【００４３】
また、眼鏡レンズ２００の第１屈折２００ａには、図２（ａ）に示すように、上記のレイアウトマーク２０に加えて、枠パターン２９が形成されている。第１屈折面２００ａには機能膜２０２ａが形成されているので、枠パターン２９は、機能膜２０２ａ上に形成される。枠パターン２９は、加工予定の眼鏡枠形状に対応して設けられている。なお、枠パターン２９は、第２屈折面２００ｂに形成されてもよく、第１屈折面２００ａ及び第２屈折面２００ｂの双方に形成されてもよい。
【００４４】
枠パターン２９は、例えば、加工予定の眼鏡枠形状に対応した平面形状及び寸法を有している。この枠パターン２９は、第１実施形態の枠パターン４と同様に、眼鏡枠の製造元からデータとして入手される他に、対象となる眼鏡枠を測定装置等で適宜計測することにより入手される。また、眼鏡枠が縁無し形状や縁の一部が無い形状の場合、利用可能なレンズ形状を枠パターン２９として用いる点は、第１実施形態と同様である。
【００４５】
第２実施形態において、枠パターン２９は、加工予定の眼鏡枠形状の輪郭に沿って形成される。枠パターン２９は、一点鎖線により形成されている。ただし、枠パターン２９として一点鎖線が用いられることに限定されない点は、第１実施形態と同様である。枠パターン２９は、加工予定の眼鏡枠形状と同一形状、同一寸法であり、この枠パターン２９に沿って加工されることにより、予め選択されている眼鏡枠に装着可能な眼鏡レンズが形成される。なお、枠パターン２９は、加工予定の眼鏡枠形状と同一形状、同一寸法に限定されるものではない点は、第１実施形態と同様である。
【００４６】
なお、図示しないが、枠パターン２９は、中心領域１（図１参照）の一部又は全部を含むように形成されている。また、枠パターン２９は、眼鏡枠形状に応じて中間領域２（図１参照）にわたって形成されている他、外周領域３（図１参照）にわたって形成される場合もある。なお、枠パターン２９が形成される位置は、第１実施形態と同様に、眼鏡レンズ２００のレンズ特性データや、装用者の処方データに基づいて設定される。従って、同じ枠パターン２９であっても、眼鏡レンズ２００のレンズ特性や、装用者の処方情報が異なると、図２（ａ）とは異なる位置に枠パターン２９が形成される。
【００４７】
レイアウトマーク２０及び枠パターン２９は、例えばインクジェット法などの印刷法によって第１屈折面２００ａに形成されている。例えば黒色や赤色、青色、緑色、黄色などの色素成分を含んだ紫外線硬化型インクやホットメルトインクなどが用いられる点は第１実施形態と同様である。この枠パターン２９は、検査者等が眼鏡レンズ２００を見た場合、透明またはほぼ透明の眼鏡レンズ２００の表面にレイアウトマーク２０及び枠パターン２９が描かれた状態が一目で認識される。
【００４８】
なお、第１屈折面２００ａには機能膜２０２ａが形成されているため、ホットメルトインクあるいは紫外線硬化型インクが用いられることにより、インクの定着性を高めることができる。また、レイアウトマーク２０及び枠パターン２９は、玉摺り加工の後に除去する必要がある。従って、除去性を有するインクが用いられる。
【００４９】
枠パターン２９は、眼鏡枠の製造元からデータとして入手される他に、対象となる眼鏡枠を測定装置等で適宜計測することにより入手される。レイアウトマーク２０は、装用者の処方データに基づいて、近用度数測定位置２２等のそれぞれの形状や位置、大きさなどの表記方法が決定される。
【００５０】
図２（ａ）に示す枠パターン２９は、右用の眼鏡枠形状に対応している。なお、左用の眼鏡レンズの場合には、左用であることを示すように、例えば「Ｌ」などの左右識別記号２５が形成される。また、左用の眼鏡レンズには、左用の眼鏡枠形状に対応した枠パターンが形成されている。この枠パターンは、右用の枠パターン２９に対して対称の形状や同一の形状を有している。
【００５１】
また、レイアウトマーク２０は、枠パターン２９と重なってしまう場合がある。図２（ａ）では、近用度数測定位置２２の一部や、水平基準線２３の一部が枠パターン２９と重なっている。このようにレイアウトマーク２０の一部が枠パターン２９と重なる場合、レイアウトマーク２０及び枠パターン２９のいずれか一方を優先して表記させてもよい。すなわち、両者が重なる場合はレイアウトマーク２０を優先して表記させ、その部分においては枠パターン２９を表記させないようにしてもよい。また、レイアウトマーク２０の表記位置を変更可能な場合は、レイアウトマーク２０を枠パターン２９と重ならないように、移動させて表記させてもよい。これにより、レイアウトマーク２０及び枠パターン２９の双方を検査者等が容易に確認することができる。
【００５２】
また、図２（ａ）に示すように、レイアウトマーク２０は、枠パターン２９の内側領域に形成されている。このように、レイアウトマーク２０を枠パターン２９の内側領域に表記させることにより、検査者等がレイアウトマーク２０を容易に確認することができる。ただし、レイアウトマーク２０を枠パターン２９の内側領域に表記させることに限定されない。例えば、レイアウトマーク２０のうち表記する位置を変更可能な左右識別記号２５、製造者ブランドロゴ２７などは、枠パターン２９の外側の領域に形成されてもよい。
【００５３】
枠パターン２９は、レイアウトマーク２０に対して、線の種類、線の太さ、及び線の色のうち少なくとも１つを変えて形成されてもよい。図２（ａ）では、レイアウトマーク２０の各マークが実線で形成されているのに対して、枠パターン２９は一点鎖線で形成されている。さらに、枠パターン２９は、レイアウトマーク２０の線よりも細い線で形成されている。このように、枠パターン２９とレイアウトマーク２０との線の種類等を変えることにより、両者の識別を容易にすることができる。
【００５４】
以上のように、第２実施形態によれば、加工予定の眼鏡枠形状に対応する枠パターン２９が眼鏡レンズ２００の第１屈折面２００ａに形成されているため、レイアウトマーク２０が形成される場合であっても、第１実施形態と同様に、外観検査の検査者は眼鏡レンズのどの部分が用いられるかを容易に認識することができる。これにより、後に玉摺り加工によって削除される部分については厳格な検査は不要となり、検査時間の短縮化が図れることになる。また、第１実施形態と同様、検査者にとって、注目すべき範囲が小さくなるので、検査に集中することが可能となり、検査の精度を向上させることができる。
【００５５】
＜第３実施形態＞
第３実施形態について説明する。図３（ａ）は、第３実施形態に係る眼鏡レンズ３００の構成を示す平面図である。図３（ｂ）は、（ａ）におけるＢ−Ｂ線に沿った断面図である。なお、図３（ａ）では、図１のような中心領域１や中間領域２、外周領域３について表記していないが、眼鏡レンズ３００には、図１と同様に中心領域１等が設定されている。
【００５６】
図３（ａ）及び（ｂ）に示すように、眼鏡レンズ３００は、玉摺り加工が施される前の状態であり、平面視で円形状に形成されている。眼鏡レンズ３００は、レンズ基体３０１と、機能膜３０２ａ、３０２ｂと、保護膜３０６とを有している。この眼鏡レンズ３００は、保護膜３０６を有し、後述するように、この保護膜３０６に枠パターン３９やレイアウトマーク３０が形成されている点で、第２実施形態とは構成が異なっている。
【００５７】
従って、レンズ基体３０１や、機能膜３０２ａ、３０２ｂの構成は、第２実施形態と同一であるため説明を省略する。なお、眼鏡レンズ３００は、眼鏡レンズ２００と同様に、累進焦点レンズである。従って、眼鏡レンズ３００は、眼鏡レンズ２００と同様に、遠用部と、近用部と、中間部とを有している。
【００５８】
保護膜３０６は、図３（ｂ）に示すように、眼鏡レンズ３００の第１屈折面３００ａ側において、機能膜３０２ａの表面を覆うように形成されている。ただし、機能膜３０２ａの表面だけでなく、第２屈折面３００ｂ側において、機能膜３０２ｂの表面を覆うように形成されてもよい。また、保護膜３０６は、一層に限定されず複数の膜が積層されたものであってもよい。保護膜３０６は、所定の透過率を有しており、レンズ基体３０１や、機能膜３０２ａ、３０２ｂが保護膜３０６を通して目視可能となっている。また、保護膜３０６は、眼鏡レンズ３００を玉摺り加工する際のすべり防止機能を有している。保護膜３０６は、玉摺り加工が終了した後、眼鏡レンズ３００から除去または剥離できるように形成されている。
【００５９】
保護膜３０６は、例えば、機能膜３０２ａの表面に無機酸化物微粒子を分散させた有機樹脂膜を有する構成が用いられる。保護膜３０６としては、例えば、アクリル樹脂、ウレタン樹脂、尿素樹脂、メラミン樹脂、ポリエステル樹脂、ポリビニルアセタール樹脂、セルロース系重合体、ポリアルキレンオキシド重合体、ポリ酢酸ビニル重合体、スチレン／メタクリル酸エステル共重合体などの有機樹脂が用いられる。また、これらの中から１種を単独で用いることの他に、２種以上を混合して用いてもよい。その中でも特に、ポリビニルアセタール樹脂が用いられる。
【００６０】
無機酸化物微粒子としては、例えば、シリコン（Ｓｉ）、アルミニウム（Ａｌ）、スズ（Ｓｎ）、アンチモン（Ｓｂ）、タンタル（Ｔａ）、セリウム（Ｃｅ）、ランタン（Ｌａ）、鉄（Ｆｅ）、亜鉛（Ｚｎ）、タングステン（Ｗ）、ジルコニウム（Ｚｒ）、インジウム（Ｉｎ）、チタン（Ｔｉ）、ニオブ（Ｎｂ）のうち何れかの酸化物、若しくは、これらの酸化物を少なくとも２種以上含む複合酸化物からなるものを用いることができる。また、これらの中から１種を単独で用いることの他に、２種以上を混合して用いてもよい。その中でも特に、酸化シリコン（ＳｉＯ２）、若しくは、酸化シリコンを含む複合酸化物が用いられる。また、無機酸化物微粒子の平均粒径は、１００ｎｍ以下に設定されるが、この平均粒径は特に限定されない。
【００６１】
また、有機樹脂膜中に含有される無機酸化物微粒子の割合は、質量比で例えば１５〜６０％に設定される。さらに、質量比として３０〜６０％に設定されてもよい。この無機酸化物微粒子の割合が１５％未満では、眼鏡レンズ３００の玉摺り加工時において、軸ズレ量が大きくなる上に、機能膜３０２ａと保護膜３０６との間に切削水が入り込んで、レンズロックキャップ３５１（図７参照）から眼鏡レンズ３００が外れ易くなり、二次加工が必要となった場合などに対応できなくなる。一方、無機酸化物微粒子の割合が６０％を超えると、保護膜３０６が脆くなり、機能膜３０２ａの上に保護膜３０６を形成した後に、この保護膜３０６が自然に剥離してしまう場合が生じる。なお、質量比を３０〜６０％とすることにより、軸ズレ量を小さくするとともに、保護膜３０６の剥離抑制を実現できる。
【００６２】
保護膜３０６の表面３０６ａには、累進焦点レンズに関するレイアウトマーク３０が形成されている。レイアウトマーク３０は、第２実施形態のレイアウトマーク２０と同様に、例えば遠用度数測定位置３１、近用度数測定位置３２、水平基準線３３、フィッティングポイント３４、左右識別記号３５、レンズの光学中心３６、製造者ブランドロゴ３７、及び加入度記号３８が形成されている。これら遠用度数測定位置３１等は、レイアウトマーク２０のそれぞれと同様である。
【００６３】
また、保護膜３０６の表面３０６ａには、上記のレイアウトマーク３０に加えて、枠パターン３９が形成されている。枠パターン３９は、第２実施形態の枠パターン２９と同様であり、加工予定の眼鏡枠形状に対応した平面形状及び寸法を例えば一点鎖線により表記している。なお、この枠パターン３９に沿って玉摺り加工されることにより、予め選択されている眼鏡枠に装着可能な眼鏡レンズが形成される。
【００６４】
レイアウトマーク３０及び枠パターン３９は、例えばインクジェット法などの印刷法によって表面３０６ａに形成される。レイアウトマーク３０及び枠パターン３９を形成する際のインクとしては、保護膜３０６との密着性が良く、また簡単に剥がれない（除去されない）ように、染料または顔料の種類、樹脂の種類と濃度、溶剤の種類、界面活性剤の種類などを適宜選択して使用される。本実施形態では、保護膜３０６の主成分がポリビニルアセタール等の汎用樹脂が用いられた場合、印刷性能（インクの付着性能）が機能膜３０２ａに比べて優れている。このため、保護膜３０６に印刷する場合は、インクの種類の選択や、印刷方法の選択など、自由度が大きい。
【００６５】
枠パターン３９は、眼鏡枠の製造元からデータとして入手される他に、対象となる眼鏡枠を測定装置等で適宜計測することにより入手される。レイアウトマーク３０は、装用者の処方データに基づいて、近用度数測定位置３２等のそれぞれの形状や位置、大きさなどの表記方法が決定される。
【００６６】
図３（ａ）に示す枠パターン３９は、右用の眼鏡枠形状に対応している。なお、左用の眼鏡レンズの場合には、左用であることを示すように、例えば「Ｌ」などの左右識別記号３５が形成される。また、左用の眼鏡レンズには、左用の眼鏡枠形状に対応した枠パターンが形成されている。この枠パターンは、右用の枠パターン３９に対して対称の形状や同一の形状を有している。
【００６７】
また、レイアウトマーク３０が、枠パターン３９と重なる場合に、レイアウトマーク３０及び枠パターン３９のいずれか一方を優先して表記させてもよい点は、第２実施形態と同様である。また、レイアウトマーク３０のうち、表記位置を変更可能なマークは、枠パターン３９と重ならないように、または枠パターン３９の外側の領域に表記させてもよい点は、第２実施形態と同様である。また、レイアウトマーク３０と枠パターン３９とで、線の種類等を変えてもよいことは、第２実施形態と同様である。
【００６８】
以上のように、第３実施形態によれば、加工予定の眼鏡枠形状に対応する枠パターン３９が眼鏡レンズ３００の第１屈折面３００ａに形成されているため、第１及び第２実施形態と同様に、外観検査の検査者は眼鏡レンズのどの部分が用いられるかを容易に認識することができる。これにより、後に玉摺り加工によって削除される部分については検査が不要となり、検査時間の短縮化が図れることになる。また、第１及び第２実施形態と同様、検査者にとって、注目すべき範囲が小さくなるので、検査に集中することが可能となり、検査の精度を向上させることができる。
【００６９】
＜眼鏡レンズの製造方法＞
次に、上記のように眼鏡レンズの製造方法について説明する。なお、以下では、第３実施形態の眼鏡レンズ３００を例としてその製造方法を説明する。
【００７０】
先ず、図４（ａ）に示すように、レンズ基体３０１が形成される。レンズ基体３０１は、所定の型枠内に、プラスチック素材のモノマーが供給され、加熱して重合させることにより形成される。その後、重合体を冷却させ、型枠から取り出すことにより、図４（ａ）に示すようにレンズ基体３０１が形成される。なお、型枠から取り出されたレンズ基体３０１は、第１屈折面３００ａ及び第２屈折面３００ｂが既に形成されている。ただし、第１屈折面３００ａ及び第２屈折面３００ｂをさらに研削及び研磨してレンズ基体３０１を形成させてもよい。
【００７１】
次に、レンズ基体３０１の一部または全部を染色する場合は、染色工程を行う。レンズ基体３０１を染色する形態として、レンズ基体３０１の表面に染色層を形成するものや、レンズ基体３０１内に染料を浸透させるものがある。染色工程としては、例えば染色液中にレンズ基体３０１を浸漬させてもよいし、レンズ基体３０１の表面に染色液をスプレー法あるいはスピンコート法によりコーティングし、その後加熱することで定着させるようにしてもよいし、レンズ基体３０１の表面に昇華性染料をコーティングした後に昇華性染料を加熱浸透させてもよい。
【００７２】
次に、図４（ｂ）に示すように、レンズ基体３０１に機能膜３０２ａ、３０２ｂが形成される。機能膜３０２ａ、３０２ｂの一例を示すと、先ず、レンズ基体３０１の表面に、他の機能膜の密着性を向上させて耐衝撃性を付与するためのプライマーコート膜が形成される。続いて、プライマーコート膜上にハードコート膜、反射防止膜や撥油膜が順次形成される。反射防止膜は、例えば、酸化シリコンと酸化ジルコニウムとを蒸着等により交互に成膜させて形成される。なお、機能膜としては、先に述べたようにこれらに限定されず、レンズ基体３０１の表面には、様々な機能膜を積層して形成することが可能である。
【００７３】
次に、図４（ｂ）に示すように、第１屈折面３００ａ側の機能膜３０２ａの表面に保護膜３０６が形成される。保護膜３０６が形成されることで、レンズ積層体３０７が形成される。保護膜３０６は、例えば、ディッピング法やスピンコート法、スプレー法、流し塗り法などによって形成される。また、これらの方法により材料が塗布された後は、自然乾燥や、熱風の吹き付けなどによって乾燥させる方法などが用いられる。また、保護膜３０６である有機樹脂膜に紫外線硬化樹脂を使用した場合には、樹脂の塗布後に紫外線を照射することによって樹脂を硬化させる方法が用いられる。
【００７４】
上記した材料の塗布方法のうち、スピンコート法では、一般的にスピンコータなどの比較的小型の装置を用いて、機能膜３０２ａの面上に、保護膜３０６を形成させるためのコーティング液を塗布することにより塗膜を形成する。なお、コーティング液は、玉摺り加工時の軸ずれ防止のため、有機化合物樹脂および無機微粒子を含むものを用いることが好ましい。
【００７５】
次に、保護膜３０６が形成された後、図４（ｃ）に示すように、保護膜３０６の表面３０６ａにレイアウトマーク３０及び枠パターン３９が形成される（枠パターン形成工程、レイアウトマーク形成工程）。この工程では、例えばインクジェット法などの印刷手法によってパターンが形成される。図５及び図６は、インクジェット法によってレイアウトマーク３０及び枠パターン３９を形成する工程を示す図である。
【００７６】
図５及び図６（ａ）に示すように、この工程では、インクジェットヘッド（以下、ＩＪヘッドと呼ぶ）Ｈを用いて表面３０６ａに所定のパターンを印刷する。ＩＪヘッドＨは、インクジェット法によりパターンを描画するインクジェット装置の一部を構成する。このＩＪヘッドＨは、紫外線硬化型インクやホットメルトインクの他、各種インクを吐出可能な、不図示の複数のノズルを有している。複数のノズルは、ＩＪヘッドＨの吐出面Ｈａにおいて、その長手方向に並ぶように形成され、ノズル列を構成している。なお、図６（ａ）に示すＩＪヘッドＨは、その長手方向の全長が長いものが用いられており、このＩＪヘッドＨに形成されるノズル列の長さが、レンズ積層体３０７の直径よりも長いもの（または描画すべきパターンの上下方向の長さより長いもの）が用いられている。
【００７７】
インクジェット装置は、ＩＪヘッドＨを、ノズル列が形成された一方向に交差する方向（例えば、直交方向）に移動させる。インクジェット装置には、ＩＪヘッドＨの移動及びインク吐出のタイミングを制御する制御部（不図示）が設けられている。制御部は、所定のパターン情報に基づいてＩＪヘッドＨを移動させながら、インク吐出のタイミングを制御する。パターン情報としては、上記したレイアウトマーク３０及び枠パターン３９を含んだパターン情報が挙げられる。
【００７８】
まず、図５に示すように、吐出面Ｈａが下方を向くようにＩＪヘッドＨを待機位置ＳＴ１で待機させる。また、レンズ積層体３０７は、第１屈折面（凸面）を上向きとして保護膜３０６の表面３０６ａが上方に向くように保持される。なお、レンズ積層体３０７は、吸着またはクランプ等によりホルダに保持される。続いて、ＩＪヘッドＨを待機位置ＳＴ１から、表面３０６ａ上に設定された走査経路ＳＣを走査（図５では左から右へ）させつつ、吐出面Ｈａのノズルから所定のタイミングでインクを吐出させる。これにより、表面３０６ａには、レイアウトマーク３０及び枠パターン３９が描画される。
【００７９】
このように、インクジェット法が用いられることにより、レイアウトマーク３０及び枠パターン３９が同時に形成されるため、枠パターン３９を別に形成する必要がなく、枠パターン３９の形成による工程数の増加を防ぎ、製造コストの増加を抑制できる。なお、レイアウトマーク３０及び枠パターン３９が同時に形成されることに限定されず、例えば、レイアウトマーク３０と枠パターン３９とで異なるインクを用いる場合などでは、レイアウトマーク３０を形成させた後に枠パターン３９が形成されてもよい。
【００８０】
なお、第１実施形態、あるいは第２実施形態の場合はフッ素系材料で形成される撥水膜あるいは撥油膜表面にレイアウトマークや枠パターンを形成させるため、使用するインクの選択には制約がある。しかしながら保護膜３０６にレイアウトマークや枠パターンを形成させる場合は、表面３０６ａにおいてインクの定着性を確保するのが容易であるため、使用するインクの選択肢は増える。なお、ＩＪヘッドＨは、停止位置ＳＴ２で停止する。次のレンズ積層体３０７にパターン描画する場合は、ＩＪヘッドＨを、停止位置ＳＴ２から待機位置ＳＴ１に向けて走査経路ＳＣを走査させることにより行う。ただし、ＩＪヘッドＨを、一旦待機位置ＳＴ１に戻してから再度走査経路ＳＣを走査させて描画してもよい。
【００８１】
なお、図６（ａ）では、ＩＪヘッドＨの一回の走査によってレイアウトマーク３０及び枠パターン３９が形成される。ただし、使用するＩＪヘッドによっては、一回の走査によってレイアウトマーク３０及び枠パターン３９を形成できない場合がある。図６（ｂ）では、小型のＩＪヘッドＨ２を用いて描画する場合を示している。
【００８２】
図６（ｂ）に示すＩＪヘッドＨ２は、ノズル列の長さがレイアウトマーク３０及び枠パターン３９の範囲をカバーしていない。この場合は、ＩＪヘッドＨ２を往復させることによりレイアウトマーク３０及び枠パターン３９が形成される。先ず、ＩＪヘッドＨ２を一方向に（図６では左から右へ）移動させて表面３０６ａの上方を走査させつつインクを吐出する。このとき、レイアウトマーク３０及び枠パターン３９の一部が形成される。続いて、ＩＪヘッドＨ２を下方へステップさせ、ＩＪヘッドＨ２を先の走査方向とは逆方向に（図６では右から左へ）移動させて表面３０６ａの上方を走査させつつインクを吐出する。これにより、レイアウトマーク３０及び枠パターン３９の残りの部分が形成され、レイアウトマーク３０及び枠パターン３９が完成する。
【００８３】
図６（ｂ）示すＩＪヘッドＨ２は、２回の走査でレイアウトマーク３０及び枠パターン３９を形成させるが、３階以上の走査によって形成させてもよい。また、上記では、ＩＪヘッドＨ、Ｈ２を移動させているが、これに代えて、レンズ積層体３０７をＩＪヘッドＨ、Ｈ２に対して移動させてもよい。この場合、レンズ積層体３０７を保持するホルダがＩＪヘッドＨ、Ｈ２に対して移動する。
【００８４】
また、上記では、ＩＪヘッドＨ、Ｈ２を直線方向に移動させているが、これに限定されない。例えば、レンズ積層体３０７の第１屈折面の凸形状に合わせて、レンズ積層体３０７との間隔を一定に保持するようにＩＪヘッドＨ、Ｈ２を曲線状に移動させてもよい。この場合、インクジェット装置の制御部は、予めレンズ積層体３０７の曲率等のデータを取得しておき、このデータに基づいてＩＪヘッドＨ、Ｈ２を駆動させる。
【００８５】
以上の工程によって、眼鏡レンズ３００が製造される。なお、枠パターン３９の形成にインクジェット法が用いられることに限定されず、例えば、凸版印刷やスクリーン印刷など、他の印刷手法が用いられてもよい。また、第１実施形態の眼鏡レンズ１００や第２実施形態の眼鏡レンズ２００においては、上記した工程の一部を実施することにより製造される。
【００８６】
＜眼鏡の製造方法＞
続いて、眼鏡の製造方法について説明する。上記した工程によって眼鏡レンズ３００が製造された後、眼鏡レンズ３００の外観検査が行われる。この外観検査に際しては、枠パターン３９の位置、寸法、範囲などが参照される。これにより、検査者は、枠パターン３９の外側の領域は、この後の玉摺り加工によって除去されるため、厳格な検査は不要の領域と容易に認識できる。従って、検査者は、眼鏡レンズ３００のうち枠パターン３９で囲まれた部分に対して重点的に検査を行うことができるため、無駄な検査を省くことができ、短時間で正確に検査を行うことができる。
【００８７】
外観検査の後、注文が丸玉形状などのアンカットレンズである場合は最終出荷検査の後、梱包されて発注先に発送される。この場合、玉摺り加工は発注先の眼鏡店もしくは特定の加工センターで行われる。注文が眼鏡枠形状の玉摺り加工済みレンズである場合、眼鏡レンズ３００に対してはそのまま製造業者の工場で玉摺り加工が実施される（レンズ加工工程）。玉摺り加工は、例えば、図７に示すような、玉摺り加工機３５０を用いて行われる。図７に示すように、この玉摺り加工では、先ず、レンズロックキャップ３５１の被着面３５１ａに両面接着テープ３５５を介して眼鏡レンズ３００の一面、具体的には、保護膜３０６が形成された第１屈折面３００ａを固定する。なお、図７に示す眼鏡用レンズ３００においては、機能膜３０２ａ、３０２ｂは省略されている。
【００８８】
次に、眼鏡レンズ３００が固定されたレンズロックキャップ３５１を一方のレンズ加工軸３５２の先端部に取り付けた後、他方のレンズ加工軸３５３の先端部を進行させて、この先端部を眼鏡レンズ３００の第２屈折面３００ｂに当接させる。これにより、眼鏡レンズ３００は、一対のレンズ加工軸３５２、３５３の間に挟み込まれた状態で支持される。なお、レンズ加工軸３５２、３５３は、眼鏡レンズ３００の光学中心点Ｏを含んだ領域にそれぞれ当接している。
【００８９】
次に、砥石３５４を高速で回転させながら、この砥石３５４を眼鏡レンズ３００の外縁部に押し当て、眼鏡用レンズ３００の外縁部を研削する。同時に、一対のレンズ加工軸３５２、３５３を同期させて回転させながら、眼鏡用レンズ３００の外縁部に沿って砥石３５４が当たるようにしている。これにより、眼鏡レンズ３００の外形が眼鏡枠の形状に合わせて加工される。なお、砥石３５４による眼鏡用レンズ３００の研削は、枠パターン３９に沿って行われている。
【００９０】
玉摺り加工は、眼鏡レンズ３００の製造業者が行う場合の他に、眼鏡店が店内で行う場合や、加工センターの場合もある。この玉摺り加工を眼鏡店や加工センターで行う場合、眼鏡枠形状の枠パターン３９が印刷された眼鏡レンズ３００であれば、外観的欠陥が眼鏡枠形状に対応する領域の内側にあるか否かを容易に判別できる。また、枠パターン３９があることにより、玉摺り加工を行った後、軸ズレなどの発生が無く加工できたかの判定も容易である。また、保護膜３０６が設けられることで、上述した眼鏡用レンズ３００と両面接着テープ３５５との接着面で滑りが生じにくく、眼鏡レンズ３００がレンズ加工軸３５２、３５３に対して軸ズレを起こしてしまうことを防ぐことができる。
【００９１】
このような工程を、左右の眼鏡レンズ３００についてそれぞれ行う。その後、左右の眼鏡レンズ３００についてそれぞれ保護膜３０６が除去される。保護膜３０６の除去は、例えば保護膜３０６を、粘着テープを使用して剥離させる方法や、溶剤等で拭取る方法などがある。これにより、図８に示すように、眼鏡枠の形状に加工された右用レンズＬＲ及び左用レンズＬＬが製造される。次に、図８に示すように、右用レンズＬＲ及び左用レンズＬＬは予め選定されている眼鏡枠４０１に嵌め込まれる（枠入れ工程）。これにより、眼鏡４００が完成する。
【００９２】
以上のように、本実施形態によれば、保護膜３０６に枠パターン３９が形成されるため、保護膜３０６を除去することにより、枠パターン３９を眼鏡レンズ３００から容易に除去することができる。また、フッ素化合物を含まない保護膜３０６の表面３０６ａに枠パターン３９を形成するため、インクジェット法によって枠パターン３９を形成する場合に、インクの選択肢が広がることになる。また、レイアウトマーク３０と枠パターン３９とを同一工程で同時に形成することができるため、工数を短縮化することができる。
【００９３】
＜枠パターンの変形例＞
図９は、枠パターンの変形例を示している。図９は、枠パターン５０２が形成された眼鏡レンズ５００を示している。図９は、第１屈折面５００ａ側から見たときの構成である。図９に示すように、眼鏡レンズ５００の第１屈折面５００ａには、着色部５０１が形成されている。ただし、第１屈折面５００ａに機能膜や保護膜が形成される場合、着色部５０１は、例えば、保護膜等の上に形成される。
【００９４】
着色部５０１は、加工対象となる枠形状の外側の領域に形成されている。従って、着色部５０１と非着色部分との間に境界が形成され、この境界が枠パターン５０２となる。着色部５０１の色は任意に設定される。また、着色部５０１として、透過性または非透過性のいずれであってもよい。着色部５０１が透過性を有する場合、その濃度（透過率）は均一に形成されるか、また、濃度勾配を持って形成されてもよい。例えば、境界部分に近い領域の濃度を濃くするとともに、境界から離れるに従って濃度を薄くするような形態でもよい。
【００９５】
着色部５０１は、例えば、第１屈折面５００ａのうち枠パターン５０２に相当する領域がマスクされた状態で、染料を塗布または染料に浸漬させることにより形成される。このように、第１屈折面５００ａに線を描画せずに、枠パターン３０２を形成させることが可能である。また、枠パターン５０２の内側領域は着色されていないので、外観検査の検査者は、検査すべき領域を容易に確認することができる。
【００９６】
なお、眼鏡枠形状の内側領域に着色部５０１が設けられ、その外側の領域には着色されない構成としてもよい。この場合においても、着色部５０１と非着色部分との間の境界が枠パターン５０２となる。さらに、眼鏡枠形状の内側領域と外側領域とで、色を変えて双方とも着色されてもよい。この場合においても、色と色との境界が枠パターン５０２となる。
【００９７】
図１０は、枠パターンの他の変形例を示している。図１０は、枠パターン６０１が形成された眼鏡レンズ６００を示している。図１０は、第１屈折面６００ａ側から見たときの構成である。図１０に示すように、眼鏡レンズ６００の第１屈折面６００ａには、枠パターン６０１が形成されている。この枠パターン６０１は、眼鏡枠形状と同一の領域６０２に沿って、領域６０２の外側に間隔ｔで囲むように形成されている。すなわち、枠パターン６０１は、領域６０２を含んだ広い領域を囲むように形成されている。
【００９８】
このように、眼鏡枠形状からずれた状態で枠パターン６０１が形成されるので、外観検査において、眼鏡枠形状と重なるような欠陥の発見が容易となる。なお、間隔ｔは任意に設定される。間隔ｔは、一定であることに限定されず、部分的に異なるものでもよい。なお、枠パターン６０１は、領域６０２の外側、すなわち玉摺り可能によって除去される部分に形成される。従って、玉摺り加工後において、枠パターン６０１は除去されて残っていない。また、枠パターン６０１は、領域６０２の外側に形成されることに代えて、領域６０２の内側に形成されてもよい。
【００９９】
図１１は、枠パターンの他の変形例を示している。図１１は、枠パターン７０１が形成された眼鏡レンズ７００を示している。図１１は、第１屈折面７００ａ側から見たときの構成である。図１１に示す眼鏡レンズ７００は、累進焦点レンズであり、図２に示すようなレイアウトマークが形成される。枠パターン７０１は、図１１に示すように、レイアウトマークの一つである製造者ブランドロゴ７０２を含んで形成されている。なお、図１１において、他のレイアウトマークは省略されている。
【０１００】
このように、枠パターン７０１が、レイアウトマークの一つを含んで形成されることにより、枠パターン７０１の内側に形成されるレイアウトマークの数を減少させるので、外観検査において注意すべき領域を見やすくすることができる。なお、製造者ブランドロゴ７０２に代えて左右識別記号（図２参照）が用いられてもよい。また、枠パターン７０１は、複数のレイアウトマークを含んで形成されてもよい。複数のレイアウトマークを含む場合、同種または複数種類のレイアウトマークのいずれでもよく、また、等間隔での配置または間隔を変えた配置のいずれでもよい。
【０１０１】
図１２は、枠パターンの他の変形例を示している。図１２は、枠パターン８０１が形成された眼鏡レンズ８００を示している。図１２は、第１屈折面８００ａ側から見たときの構成である。図１２に示す眼鏡レンズ８００は、累進焦点レンズであり、図２に示すようなレイアウトマークが形成される。枠パターン８０１は、図１２に示すように、レイアウトマークの一つである左右識別記号８０２によって形成されている。なお、図１２において、他のレイアウトマークは省略されている。
【０１０２】
枠パターン８０１は、複数の左右識別記号８０２が、眼鏡枠形状に沿って配置されることにより形成される。図１２では右用の眼鏡レンズを示す「Ｒ」が用いられている。このように、枠パターン８０１が、レイアウトマークによって形成されることにより、枠パターン８０１の内側に形成されるレイアウトマークの数を減少させるので、外観検査において注意すべき領域を見やすくすることができる。なお、左右識別記号８０２に代えて製造者ブランドロゴ（図２参照）が用いられてもよい。また、枠パターン８０１は、複数種類のレイアウトマークが用いられてもよく、またその配置も任意である。
【０１０３】
＜その他＞
本発明の技術範囲は上記した実施形態に限定されるものではなく、本発明の趣旨を逸脱しない範囲で適宜変更を加えることができる。また、上記した第１〜第３実施形態や、変形例を適宜組み合わせてもよい。例えば、第３実施形態の眼鏡レンズ３００に、図９に示す着色部５０１を形成させてもよく、図１０に示す枠パターン６０１として、図１２の枠パターン８０１を適用させてもよい。また、本発明は、上記した眼鏡レンズとして単焦点レンズや累進焦点レンズに限らず、他の眼鏡レンズであっても広く適用することが可能である。
【０１０４】
また、眼鏡レンズの表面に設けられる保護膜としては、上述したものの他にも、例えば国際公開２００６／０９３１１３号パンフレットに開示されているものなどを用いることができる。具体的には、（１）機能膜の表面に、金属酸化物微粒子とフッ化物の微粒子との少なくとも一方を分散させた微粒子層を形成し、さらに、その微粒子層の上に有機化合物からなる樹脂層を形成したものや、（２）機能膜の表面に、金属酸化物微粒子とフッ化物の微粒子との少なくとも一方を分散させた有機化合物からなる樹脂層を形成したものなどを用いることができる。
【０１０５】
また、上記説明においては、枠パターンとして眼鏡枠形状の一周にわたって形成される構成を例に挙げて説明したが、これに限定されるものではない。例えば、眼鏡枠形状の一部（例えば、角部や辺部など）において枠パターンが形成された構成であってもよい。また、図９に示す着色部５０１に代えて、多数のドット(点)を表記させた形態や、反射膜が用いられてもよい。
【０１０６】
また、図１０に示す枠パターン６０１としては、全部を領域６０２から間隔ｔで形成されることに代えて、一部は領域６０２から間隔ｔで形成され、他は領域６０２に沿って形成されるものでもよい。また、図１０に示す枠パターン６０１としては、領域６０２と相似形の枠パターンが用いられてもよい。
【０１０７】
また、上記説明した形態では、各眼鏡レンズに１種類の枠パターンが形成されているが、これに限定されず、２種以上の枠パターンが形成されてもよい。２種以上の枠パターンとして、２以上の相似形の枠パターンが用いられてもよい。
【符号の説明】
【０１０８】
Ｈ、Ｈ２…インクジェットヘッド（ＩＪヘッド）  ｔ…間隔  １…中心領域  ２…中間領域  ３…外周領域  ４、２９、３９、５０２、６０１、７０１、８０１…枠パターン  ２０、３０…レイアウトマーク  １００、２００、３００、５００、６００、７００、８００…眼鏡レンズ  １００ａ、２００ａ、３００ａ、５００ａ、６００ａ、７００ａ、８００ａ…第１屈折面  １００ｂ、２００ｂ、３００ｂ、５００ｂ、６００ｂ、７００ｂ、８００ｂ…第２屈折面  ３０６…保護膜  ３５０…玉摺り加工機  ４００…眼鏡  ４０１…眼鏡枠
【図１】
2014219618.tif 000003
【図２】
2014219618.tif 000004
【図３】
2014219618.tif 000005
【図４】
2014219618.tif 000006
【図５】
2014219618.tif 000007
【図６】
2014219618.tif 000008
【図７】
2014219618.tif 000009
【図８】
2014219618.tif 000010
【図９】
2014219618.tif 000011
【図１０】
2014219618.tif 000012
【図１１】
2014219618.tif 000013
【図１２】
2014219618.tif 000014